(57)【要約】      （修正有）【課題】主系及び従系の２重化構成の外部インタフェース装置を中央処理装置が監視し、監視結果に基づいて主系及び従系を制御する方法を提供する。【解決手段】中央処理装置１１ａ、１１ｂと２重系構成の外部インタフェース装置２１ａ〜２１ｆとの間でデータを送受信する入出力部と、データに含まれる外部インタフェース装置の主系／従系を示す系統情報及び外部インタフェース装置の正常／異常を示す生死情報に基づいて外部インタフェース装置の状態を判断し、判断結果に応じて外部インタフェース装置の状態を切り替える処理部と、を備える。【選択図】図１
2015036287.tif 000002
【特許請求の範囲】
【請求項１】
中央処理装置と２重系構成の複数の外部インタフェース装置とがネットワークを介して接続された外部インタフェース装置制御システムであって、
前記中央処理装置は、
前記外部インタフェース装置との間でデータを送受信する入出力部と、
前記データに含まれる前記外部インタフェース装置の主系／従系を示す系統情報及び前記外部インタフェース装置の正常／異常を示す生死情報をに基づいて前記外部インタフェース装置の状態を判断し、前記判断結果に応じて前記外部インタフェース装置の状態を切り替える処理部と、
を備えることを特徴とする、外部インタフェース装置制御システム。
【請求項２】
前記中央処理装置は、
前記外部インタフェース装置の正常状態における主系／従系を示す系統情報が記憶された状態情報管理テーブルを備え、
前記処理部は、
前記外部インタフェース装置から受信した系統情報及び生死情報を前記状態情報管理テーブルに記憶する、
ことを特徴とする、請求項１に記載の外部インタフェース装置制御システム。
【請求項３】
前記処理部は、
前記外部インタフェース装置の正常状態における系統情報と、前記外部インタフェース装置から受信した系統情報及び生死情報とを比較して、前記外部インタフェース装置の状態を判断する
ことを特徴とする、請求項２に記載の外部インタフェース装置制御システム。
【請求項４】
前記処理部は、
前記外部インタフェース装置の正常状態における系統情報と、前記外部インタフェース装置から受信した系統情報とが異なる場合に、該外部インタフェース装置の状態が異常であると判断する
ことを特徴とする、請求項３に記載の外部インタフェース装置制御システム。
【請求項５】
前記処理部は、
前記外部インタフェース装置から受信した生死情報が異常を示す場合に、当該外部インタフェース装置を停止させる
ことを特徴とする、請求項４に記載の外部インタフェース装置制御システム。
【請求項６】
前記処理部は、
２重系構成の主系である前記外部インタフェース装置から受信した生死情報が異常を示す場合に、当該外部インタフェース装置を停止させ、従系である前記外部インタフェース装置を主系に切り替える
ことを特徴とする、請求項５に記載の外部インタフェース装置制御システム。
【請求項７】
前記処理部は、
２重系構成の従系である前記外部インタフェース装置から受信した生死情報が異常を示す場合に、当該外部インタフェース装置を停止させる、
ことを特徴とする、請求項５に記載の外部インタフェース装置制御システム。
【請求項８】
前記処理部は、
２重系構成の２つの前記外部インタフェース装置のいずれも受信した系統情報が主系を示す場合、正常状態で従系である前記外部インタフェース装置を停止させる、
ことを特徴とする、請求項４に記載の外部インタフェース装置制御システム。
【請求項９】
前記処理部は、
２重系構成の２つの前記外部インタフェース装置のいずれも受信した系統情報が従系を示す場合、正常状態で主系である前記外部インタフェース装置を停止させ、正常状態で従系である前記外部インタフェース装置を主系に切り替える
ことを特徴とする、請求項４に記載の外部インタフェース装置制御システム。
【請求項１０】
中央処理装置と２重系構成の複数の外部インタフェース装置とがネットワークを介して接続された外部インタフェース装置制御システムにおける外部インタフェース装置制御方法であって、
前記中央処理装置は、前記外部インタフェース装置との間でデータを送受信する第１のステップと、
前記データに含まれる前記外部インタフェース装置の主系／従系を示す系統情報及び前記外部インタフェース装置の正常／異常を示す生死情報を状態情報管理テーブルに記憶する第２のステップと、
前記状態情報管理テーブルに記憶された情報に基づいて前記外部インタフェース装置の状態を判断する第３のステップと、
前記第３のステップにおける判断結果に応じて、前記外部インタフェース装置の状態を切り替える第４のステップと、
を含むことを特徴とする、外部インタフェース装置制御方法。
【発明の詳細な説明】
【技術分野】
【０００１】
本発明は、外部インタフェース装置制御システム及び外部インタフェース装置制御方法に関し、中央処理装置が各駅に設置された外部インタフェース装置の主従系管理を行う外部インタフェース装置制御システム及び外部インタフェース装置制御方法に適用して好適なるものである。
【背景技術】
【０００２】
従来から、駅制御装置にマシンダウンが発生した場合に、マシンダウンが解消するまで列車運行が不能となりサービスが低下することが問題となっていた。そこで、特許文献１では、通常時には各駅制御装置の列車進路制御処理部が中央処理装置の管理する列車運行ダイヤに基づいて自駅の列車進路を自動管理、制御し、異常が発生した場合に、中央装置からの手動介入によって自駅の列車進路を制御することが行われている。これにより、通常時の列車運行の分散管理を行うとともに、いずれかの駅制御装置がマシンダウンしても、手動介入によって該当駅の列車進路を継続して管理することが可能となる。
【０００３】
また、２重系構成の計算機において、計算機同士が互いに監視し合い、一方の計算機が異常となった場合に、他方の計算機が異常を検知して当該計算機が単独でシステムの動作をバックアップすることも行われている。通常、一方が主系、他方が従系となる２重化構成の計算機システムでは、外部装置からの入力情報をプロトコル変換するための計算機であるため、高性能の装置を使用する必要はない。
【先行技術文献】
【特許文献】
【０００４】
【特許文献１】特開平７−１３２８３１号公報
【発明の概要】
【発明が解決しようとする課題】
【０００５】
しかし、計算機同士が互いに監視し合う計算機システムでは、一方の計算機が異常となった場合、他方の計算機が単独でシステムの動作をバックアップする機能を必要とするため、プロトコル変換をするためだけの装置では性能が足りないという問題があった。
本発明は以上の点を考慮してなされたもので、主系及び従系の２重化構成の外部インタフェース装置を中央処理装置が監視し、監視結果に基づいて主系及び従系を制御する外部インタフェース装置制御システム及び外部インタフェース装置制御方法を提案しようとするものである。
【課題を解決するための手段】
【０００６】
かかる課題を解決するために本発明においては、中央処理装置と２重系構成の複数の外部インタフェース装置とがネットワークを介して接続された外部インタフェース装置制御システムであって、前記中央処理装置は、前記外部インタフェース装置との間でデータを送受信する入出力部と、前記データに含まれる前記外部インタフェース装置の主系／従系を示す系統情報及び前記外部インタフェース装置の正常／異常を示す生死情報に基づいて前記外部インタフェース装置の状態を判断し、前記判断結果に応じて前記外部インタフェース装置の状態を切り替える処理部と、を備えることを特徴とする、外部インタフェース装置制御システムが提供される。
【０００７】
かかる構成によれば、２重系構成の複数の外部インタフェース装置の主系／従系を示す系統情報及び前記外部インタフェース装置の正常／異常を示す生死情報を含む状態情報をもとに、前記外部インタフェース装置の状態を判断し、前記判断結果に応じて前記外部インタフェース装置の状態を切り替える。これにより、中央処理装置が各駅の外部インタフェース装置の主従系状態を一括して管理することができ、高性能ではない外部インタフェース装置を使用して、各駅の外部インタフェース装置の主従系を独立して制御することができる。
【発明の効果】
【０００８】
本発明によれば、中央処理装置が各駅の外部インタフェース装置の主従系状態を一括して管理することで、高性能ではない外部インタフェース装置を使用して、各駅の外部インタフェース装置の主従系を独立して制御することができる。
【図面の簡単な説明】
【０００９】
【図１】本発明の第１の実施形態に係る外部インタフェース装置制御システムの全体構成を示すブロック図である。
【図２】同実施形態にかかる中央処理装置の機能構成を示すブロック図である。
【図３】同実施形態にかかる駅インタフェース構成制御の処理を説明する概念図である。
【図４】同実施形態にかかる駅インタフェース状態管理テーブルの内容を示す図表である。
【図５】同実施形態にかかる系情報判定処理の流れを示すフローチャートである。
【発明を実施するための形態】
【００１０】
以下図面について、本発明の一実施の形態を詳述する。
【００１１】
（１）システム構成
まず、図１を参照して、外部インタフェース装置制御システムの全体構成について説明する。図１に示すように、外部インタフェース制御装置システムは、中央処理装置１１ａ及び１１ｂ（以降、中央処理装置１１と総称して説明する場合もある。）、駅インタフェース装置２１ａ、２１ｂ、２１ｃ、２１ｄ、２１ｅ及び２１ｆ（以降、駅インタフェース装置２１と総称して説明する場合もある。）、リレー３１、マンマシン端末４１ａ及び４１ｂ（以降、マンマシン端末４１と総称して説明する場合もある。）、サーバ５１、表示制御装置６１ａ及び６１ｂ（以降、表示制御装置６１と総称して説明する場合もある。）、表示盤６３、運行管理ネットワーク７１及び外部装置８１などから構成される。
【００１２】
中央処理装置１１ａ及び１１ｂは、複数の駅インタフェース装置２１を制御する装置であって、中央処理装置１１ａと中央処理装置１１ｂとは、主従系の関係にある。以降、中央処理装置１１ａを主系、中央処理装置１１ｂを従系として説明する。
【００１３】
中央処理装置１１は、例えば、パーソナルコンピュータ、ワークステーションなどから構成される。また、中央処理装置１１は、ＣＰＵおよびメモリ等の情報処理資源を備えている。ＣＰＵは、演算処理装置として機能し、メモリに記憶されているプログラムや演算パラメータ等にしたがって、中央処理装置１１の動作を制御する。また、中央処理装置１１は、キーボード、スイッチやポインティングデバイス、マイクロフォン等の情報入力装置と、モニタディスプレイやスピーカ等の情報出力装置とを備えていてもよい。
【００１４】
駅インタフェース装置２１は、各駅に設置されたインタフェース装置であって、運行管理ネットワーク回線毎に主従系を有する。駅インタフェース装置２１は、回線毎に主従系を有するため、１つの回線に少なくとも２台の駅インタフェース装置２１が設置される。駅インタフェース装置２１のハードウェア構成も、中央処理装置１１と同様のため詳細な説明は省略する。駅インタフェース装置２１は、本発明の外部インタフェース装置の一例である。
【００１５】
リレー３１は、系切替のためのリレー装置であり、駅インタフェース装置２１の主従回線がリレー３１を引き込んで、駅インタフェース装置２１が主系または従系のいずれかに切り替えられる。
【００１６】
マンマシン端末４１は、システム管理者などにより操作される装置であって、入力に応じて列車番号を変更したり、ダイヤを変更したり、手動進路制御をしたり、履歴情報を表示させたりする。
【００１７】
サーバ５１は、列車の走行情報、操作情報、遅延情報、信号機制御情報、軌道落下情報などの各種履歴情報を収集し、蓄積する。
【００１８】
表示制御装置６１は、表示盤６３に表示させる運行情報を制御する。また、表示盤６３は、列車運行状況や先次発情報などを表示させる機能を有する。
【００１９】
運行管理ネットワーク７１は、各装置を接続するネットワーク回線であって、２重化ＬＡＮ（Local Area Network）で構成される。
【００２０】
外部装置８１は、連動装置や案内制御装置などの外部の装置である。
【００２１】
（２）中央処理装置の機能構成
次に、図２を参照して、中央処理装置１１の機能構成について説明する。図２に示すように、中央処理装置１１は、駅インタフェース構成制御１０１、システム管理１０２、時刻管理・提示処理１０３、ダイヤ管理１０４、実績統計１０５、モニタ１０６、警報・報告・提案１０７、リング管理１０９、構成制御１１９、時刻伝送１２０、ＦＴＰ伝送１２１、対ＰＣ伝送１２２、分散ＤＢ１２３、入出力１２４及び車番読取１２５などから構成される。
【００２２】
駅インタフェース構成制御１０１は、駅インタフェース装置２１の構成を制御し、駅インタフェース装置２１から受信した情報をもとに、駅インタフェース装置２１の主従系を判定し、判定結果を駅インタフェース装置２１に送信する。駅インタフェース構成制御１０１は、本発明の処理部の一例である。
【００２３】
システム管理１０２は、外部インタフェース装置制御システム全体を管理し、自装置及びシステム内の他の装置の状態を管理する。時刻管理・提示処理１０３は、システム内の装置の時刻を一致させたり、始業や終業などの定時時刻処理を管理したりする。ダイヤ管理１０４は、列車の当日ダイヤ及び翌日ダイヤを管理する。
【００２４】
実績統計１０５は、列車の走行記録などの実績情報や警報や各種操作などの履歴情報を収集する。モニタ１０６は、マンマシン端末４１のモニタを制御する。警報・報告・提案１０７は、列車の異常情報や提案情報など、警報や報告、提案などの出力処理を制御する。
【００２５】
リング管理１０９は、列車制御の基本となる機能を一定周期で実行させる。リング管理１０９が実行させる列車制御の基本となる機能は、列車追跡１１０、地点処理１１１、運行監視１１２、ファイル変更１１３、運転整理１１４、優先判断１１５、進路制御１１６及び案内広報１１７などが挙げられる。
【００２６】
列車追跡１１０は、軌道落下情報をもとに、列車の在線位置を判断し、列車に列番を植付ける。地点処理１１１は、列車追跡１１０により列車に植付けられた列番を所定の条件に基づいてシフトする。運行監視１１２は、列車の遅延を監視する。ファイル変更１１３は、マンマシン端末４１からの指令入力やダイヤ変更入力に対して合理性チェックを実行し、チェック結果に問題がない場合にダイヤデータや列車情報を編集する。
【００２７】
運転整理１１４は、列車の運行状況に応じてダイヤ変更が効果的か否かを判断する。優先判断１１５は、複数の列車が侵入可能な番線や競合点について優先して進入させるべき列車を判断する。進路制御１１６は、信号機毎の制御条件に基づいて、信号機に対してセットまたはリセットの指示を出力する。案内広報１１７は、案内表示情報を編集して、案内放送情報を所定のタイミングで出力する。
【００２８】
構成制御１１９は、中央処理装置１１の主従系間の管理及び制御を行う。時刻伝送１２０は、時刻情報を送受信する。ＦＴＰ伝送１２１は、ダイヤデータなどをＦＴＰ通信により伝送する。対ＰＣ伝送１２２は、マンマシン４１と通信して、信号機の情報、列車の列番の変更情報やダイヤの変更情報など、必要な情報の送受信を行う。分散ＤＢ１２３は、一定周期で共通情報であるダイヤ情報や列車在線情報などを格納するデータベースである。入出力１２４は、駅インタフェース装置２１との間でデータを入出力する。入出力１２４は、本発明の入出力部の一例である。車番運用１１８は、車番読取１２５により読み取られた車番と列番を紐付ける。
【００２９】
（３）中央処理装置の処理の詳細
次に、図３を参照して、駅インタフェース構成制御１０１の処理について説明する。
【００３０】
駅インタフェース構成制御１０１は、上記した入出力１２４により受信された駅インタフェース装置２１のＤＩ（Digital Input）情報を受信して、ＤＩ情報に含まれる各種情報を駅インタフェース状態管理テーブル２１１に格納する。駅インタフェース状態管理テーブル２１１は、本発明の状態管理テーブルの一例である。
【００３１】
そして、駅インタフェース状態管理処理２０２は、リング管理処理２０１により一定周期で起動させられ、駅インタフェース状態管理テーブル２１１に格納されている情報、駅インタフェース状態管理ファイル２１４、駅インタフェースパターンファイル２１５などに格納されている情報をもとに駅インタフェース装置２１の状態を管理する。そして、駅インタフェース状態管理ファイル２１４は、駅インタフェース装置２１の主従系を切り替えるか、停止させるか等を判断して、駅インタフェース要求テーブル２１２に書き込む。
【００３２】
駅インタフェース状態管理テーブル２１１、駅インタフェース要求テーブル２１２及び駅インタフェース状態管理テーブル２１４などに設定された情報は、入出力１２４の機能である制御情報出力処理２０６により、駅インタフェース装置２１に出力される。
【００３３】
また、駅インタフェース状態管理処理２０２は、駅インタフェース装置２１に対する警報に必要な情報を警報登録処理２０３に通知する。警報登録処理２０３は、通知された情報を該当する駅インタフェース装置２１などに警報出力する。また、駅インタフェース状態管理処理２０２により状態管理テーブル２１３に格納された情報は、モニタ１０６などに提供される。
【００３４】
以下、各処理及び各テーブルを詳細に説明する。入出力１２４の機能であるＤＩ情報受信処理２０５は、駅インタフェース装置２１のＤＩ情報が受信する。ＤＩ情報受信処理２０５により受信される駅インタフェース装置２１のＤＩ情報には、駅インタフェース装置２１ごとの主系か従系かの系情報及び正常（生）か異常（死）かを示す生死情報が含まれる。
【００３５】
駅インタフェース装置２１の生死情報は、入出力１２４の機能である生死監視処理２０４により、生死監視状態テーブル２１４の情報が更新されたかにより判断される。生死監視状態テーブル２１４には、駅インタフェース装置２１から受信したＤＩ情報に含まれる駅インタフェース装置等のシステム機器の状態が記憶される。生死監視処理２０４は、生死監視状態テーブル２１４を参照して、システム機器の正常／異常を判断する。
【００３６】
例えば、ＤＩ情報受信処理２０５により駅インタフェース装置２１の生死監視状態テーブル２１４の値が変更された場合には、当該駅インタフェース装置２１が生の状態であることを駅インタフェース構成制御１０１に通知する。一方、ＤＩ情報受信処理２０５により駅インタフェース２１の生死監視状態テーブル２１４の値が変更されない場合には、当該駅インタフェース装置２１が死の状態であることを駅インタフェース構成制御１０１に通知する。
【００３７】
駅インタフェース状態管理テーブル２１１には、インタフェースの回線毎の系状態の情報と、生死監視状態の情報が格納される。具体的に、駅インタフェース状態管理テーブル２１１は、図４に示すように、駅名欄２１１０、駅インタフェース番号欄２１１１、正常状態欄２１１２、生死状態欄２１１３、系状態欄２１１４及び系状態切替欄２１１５などから構成される。
【００３８】
駅名欄２１１０には、駅の名称が格納される。駅インタフェース番号欄２１１１には、駅インタフェース装置２１の番号が格納される。
【００３９】
正常状態欄２１１２には、駅インタフェース装置２１ごとの正常状態の情報が格納される。例えば、図４では、正常状態のときに駅インタフェース番号が１の駅インタフェース装置２１が主系であり、駅インタフェース番号が２の駅インタフェース装置２１が従系であることがわかる。
【００４０】
また、生死状態欄２１１３には、駅インタフェース装置２１ごとの生死状態の情報が格納される。生死状態欄２１１３に格納される情報は、上記したＤＩ情報に含まれる現在の駅インタフェース装置２１の生死状態の情報である。例えば、図４では、駅インタフェース番号が３の駅インタフェース装置２１が異常であることがわかる。
【００４１】
系状態欄２１１４には、駅インタフェース装置２１ごとの系状態の情報が格納される。系状態欄２１１４に格納される情報は、上記したＤＩ情報に含まれる現在の駅インタフェース装置２１の系状態の情報である。系状態切替欄２１１５には、系状態を切り替えるか、停止されるかなど、駅インタフェース装置２１をどう制御すべきかの情報が格納される。
【００４２】
図３に戻り、駅インタフェース状態管理処理２０２は、駅インタフェース状態管理テーブル２１１を参照して、いずれの駅インタフェース装置２１の系状態を切り替えるか、停止させるかなどを判断する。
【００４３】
具体的に、駅インタフェース状態管理処理２０２は、駅インタフェース状態管理テーブル２１１の正常状態欄２１１２、生死状態欄２１１３及び系状態欄２１１４を参照して、系状態をどのようにすべきか判断して、当該判断結果を系状態切替欄２１１５に格納する。
【００４４】
例えば、駅インタフェース状態管理処理２０２は、図４に示す駅インタフェース状態管理テーブル２１１を参照して、駅Ｂの駅インタフェース番号が３の駅インタフェース装置２１は主系であるが、生死状態が異常であるため、駅Ｂの従系である駅インタフェース番号が４の駅インタフェース装置２１を従系から主系に切り替える必要があると判断する。
【００４５】
また、駅Ｃの駅インタフェース番号が６の駅インタフェース装置２１は、正常状態では従系であるところ、系状態が主系となっている。これは、駅インタフェース装置２１に何らかの異常が発生していると考えられ、このまま当該駅インタフェース装置２１を稼働させると駅Ｃのシステム全体の稼働が異常となってしまうため、駅インタフェース番号が６の駅インタフェース装置２１を停止させる必要があると判断する。
【００４６】
また、例えば、正常状態で従系である駅インタフェース装置２１の生死状態が異常であり、正常状態で主系である駅インタフェース装置２１の生死状態が正常である場合には、引き続き主系である駅インタフェース装置２１を稼働させればよいため、系状態を切り替える必要はないと判断する。
【００４７】
また、主系従系の両系が異常と判定された場合には、両系を停止させることはできないため、系状態を切り替える必要もないと判断する。
【００４８】
このように、駅インタフェース状態管理処理２０２は、駅インタフェース装置２１ごとに、予め設定された正常状態と、入力された現在の系状態及び生死状態から、駅インタフェース装置２１の系状態を切り替えるか、停止させるか、同じ状態のまま稼働させるかを判断する。
【００４９】
また、駅インタフェース状態管理処理２０２は、状態管理テーブル２１３に、駅インタフェース装置２１ごとの状態情報を書き込む。具体的に、駅インタフェース状態管理処理２０２は、状態管理テーブル２１３に、駅インタフェース装置２１が、主系か、従系か、異常であるかなどの状態情報を書き込む。
【００５０】
また、駅インタフェース状態管理処理２０２は、異常であると判断した駅インタフェース装置２１に対して停止指示を出力する。ここで、各駅に含まれる駅インタフェース装置２１の主系従系の両系に停止指示要求を出力することを避けるため、上記したように、駅インタフェース状態管理テーブル２１１に停止判定結果を格納する際に、他系の駅インタフェース装置２１に停止指示要求が出力されているかをチェックする。そして、既に停止指示要求が出力されている場合には、停止指示要求を出力しないようにする。
【００５１】
駅インタフェース状態管理処理２０２は、駅インタフェース要求テーブル２１２に駅インタフェース装置２１に対する停止指示要求の有無を格納する。
【００５２】
駅インタフェースパターンファイル２１５は、駅インタフェース装置２１から受信したデータのイベント情報やステータスなどを記憶する。
【００５３】
制御情報出力処理２０６は、駅インタフェース状態管理テーブル２１１、駅インタフェース要求テーブル２１２及び駅インタフェース状態管理ファイル２１４などに設定された情報を、他の制御情報と合わせて、駅インタフェース装置２１に出力する。
【００５４】
次に、図５を参照して、駅インタフェース構成制御１０１による系情報判定処理の詳細について説明する。
【００５５】
図５に示すように、駅インタフェース構成制御１０１は、生死監視処理２０４から駅インタフェース装置２１の生死状態情報を取得する（Ｓ１０１）。
【００５６】
そして、駅インタフェース構成制御１０１は、ステップＳ１０１で取得した駅インタフェース装置２１の生死状態情報を駅インタフェース状態管理テーブル２１１の生死状態欄２１１３にセットする（Ｓ１０２）。
【００５７】
次に、駅インタフェース構成制御１０１は、ＤＩ情報受信処理２０５から、駅インタフェース装置２１の主系か従系かを示す系状態情報を取得する（Ｓ１０３）。
【００５８】
そして、駅インタフェース構成制御１０１は、ステップＳ１０３で取得した駅インタフェース装置２１の系状態情報を駅インタフェース状態管理テーブル２１１の系状態欄２１１４にセットする（Ｓ１０４）。
【００５９】
次に、駅インタフェース構成制御１０１は、ステップＳ１０２でセットした生死状態情報及びステップＳ１０４でセットした系状態情報と、駅インタフェース状態管理テーブル２１１の正常状態欄２１１２との値を比較する（Ｓ１０５）。
【００６０】
そして、駅インタフェース構成制御１０１は、ステップＳ１０５で比較した結果、駅インタフェース装置２１の系状態の切り替えが必要かを判定する（Ｓ１０６）。具体的に、駅インタフェース構成制御１０１は、駅インタフェース装置２１の主系従系を切り替えるか、停止させるかを判定する。
【００６１】
そして、ステップＳ１０６において、駅インタフェース装置２１の系状態の切り替えが必要であると判定された場合には、駅インタフェース構成制御１０１は、系状態切替情報を駅インタフェース状態管理テーブル２１１の系状態切替欄２１１５にセットする（Ｓ１０７）。例えば、主系である駅インタフェース装置２１を従系に切り替える場合には、「従系」を格納し、駅インタフェース装置２１を停止させる場合には、「停止」を格納する。
【００６２】
一方、ステップＳ１０６において、駅インタフェース装置２１の系状態の切り替えが不要であると判定された場合には、駅インタフェース構成制御１０１は、処理を終了する。
【００６３】
（４）本実施の形態の効果
このように、本実施の形態では、中央処理装置１１が、２重系構成の複数の駅インタフェース装置２１の主系／従系を示す系統情報及び駅インタフェース装置２１の正常／異常を示す生死情報を含む状態情報をもとに、駅インタフェース装置２１の状態を判断し、当該判断結果に応じて駅インタフェース装置２１の状態を切り替える。これにより、中央処理装置１１が各駅の駅インタフェース装置２１の主従系状態を一括して管理することができ、高性能ではない外部インタフェース装置を使用して、各駅の駅インタフェース装置２１の主従系を独立して制御することができる。
【符号の説明】
【００６４】
１１      中央処理装置
２１      駅インタフェース装置
３１      リレー
４１      マンマシン端末
５１      サーバ
６１      表示制御装置
６３      表示盤
７１      運行管理ネットワーク
８１      外部装置
１０１    駅インタフェース構成制御
２１１    駅インタフェース状態管理テーブル
【図１】
2015036287.tif 000003
【図２】
2015036287.tif 000004
【図３】
2015036287.tif 000005
【図４】
2015036287.tif 000006
【図５】
2015036287.tif 000007